(57)【要約】【課題】第１のコネクタと第２のコネクタとが簡単かつ正確に位置決めされるコネクタセットを提供する。【解決手段】コネクタセット１００は、凹部２ｂないし２ｅが形成された第１の面２Ｓ1と第２の面２Ｓ2とを有する第１のコネクタ本体２ａを含む第１のコネクタ２と、第１のコネクタ２と接続されたときに各凹部と篏合する凸部３ｂないし３ｅを有する第２のコネクタ本体３ａを含む第２のコネクタ３とを備える。第１のコネクタ２は、一方端部が第１の面２Ｓ1側にあり、凹部２ｂと接しないように第２の面２Ｓ2に接続され、一方端部の第２の面２Ｓ2側に第１の傾斜領域を有し、第１の傾斜領域と第１の面２Ｓ1との間に第１の直交領域を有する第１のガイド部材２ｇ1と、同様の構造を有する第２のガイド部材２ｇ2および第３のガイド部材２ｇ3とを備える。第１の直交領域の長さは、凸部３ｂないし３ｅの高さ以上である。【選択図】図１
2019008264.tif 000002
【特許請求の範囲】
【請求項１】
少なくとも１つの凹部が形成された第１の面と、前記第１の面に接続された第２の面と、前記第１の面および前記第２の面に接続された第３の面と、前記第１の面および前記第２の面に接続され、かつ前記第３の面と対向する第４の面とを有する第１のコネクタ本体を含む第１のコネクタと、
前記第１のコネクタと接続されたときに、前記少なくとも１つの凹部と篏合する少なくとも１つの凸部を有する第２のコネクタ本体を含む第２のコネクタと、を備えたコネクタセットにおいて、
前記第１のコネクタは、一方端部が前記第１の面側にあり、かつ前記凹部と接しないように前記第２の面に接続され、前記一方端部の前記第２の面側に第１の傾斜領域を有し、前記第１の傾斜領域と前記第１の面との間に前記第１の面と直交する第１の直交領域を有する第１のガイド部材と、一方端部が前記第１の面側にあり、かつ前記凹部と接しないように前記第３の面に接続され、前記一方端部の前記第３の面側に第２の傾斜領域を有し、前記第２の傾斜領域と前記第１の面との間に前記第１の面と直交する第２の直交領域を有する第２のガイド部材と、一方端部が前記第１の面側にあり、かつ前記凹部と接しないように前記第４の面に接続され、前記一方端部の前記第４の面側に第３の傾斜領域を有し、前記第３の傾斜領域と前記第１の面との間に前記第１の面と直交する第３の直交領域を有する第３のガイド部材とを含むガイド部材を備えており、
前記第１の傾斜領域、前記第２の傾斜領域および前記第３の傾斜領域は、前記第１の面から離れる向きに傾斜しており、前記第１の直交領域、前記第２の直交領域および前記第３の直交領域の長さは、前記凸部の高さ以上であることを特徴とする、コネクタセット。
【請求項２】
前記第１のガイド部材、前記第２のガイド部材および前記第３のガイド部材は、板状部材であって、
前記第１の傾斜領域、前記第２の傾斜領域および前記第３の傾斜領域は、前記板状部材の前記一方端部に、前記第１の面から離れる向きに先細となるように形成されたテーパ領域であることを特徴とする、請求項１に記載のコネクタセット。
【請求項３】
前記第１のガイド部材、前記第２のガイド部材および前記第３のガイド部材は、板状部材であって、
前記第１の傾斜領域、前記第２の傾斜領域および前記第３の傾斜領域は、前記板状部材の前記一方端部が、前記第１の面から離れる向きに傾斜するように屈曲された屈曲領域であることを特徴とする、請求項１に記載のコネクタセット。
【請求項４】
前記第１のガイド部材、前記第２のガイド部材および前記第３のガイド部材は、柱状部材であって、
前記第１の傾斜領域、前記第２の傾斜領域および前記第３の傾斜領域は、前記柱状部材の前記一方端部に、前記第１の面から離れる向きに先細となるように形成されたテーパ領域であることを特徴とする、請求項１に記載のコネクタセット。
【請求項５】
前記第１のガイド部材は、分離した第１の部分および第２の部分を含み、
前記第１の部分は、前記第２のガイド部材と結合しており、前記第２の部分は、前記第３のガイド部材と結合していることを特徴とする、請求項１ないし４のいずれか１項に記載のコネクタセット。
【請求項６】
前記第２のガイド部材および前記第３のガイド部材は、それぞれ分離した第１の部分および第２の部分を含むことを特徴とする、請求項１ないし４のいずれか１項に記載のコネクタセット。
【請求項７】
前記第１のガイド部材、前記第２のガイド部材および前記第３のガイド部材は、それぞれ分離した第１の部分および第２の部分を含み、
前記第１のガイド部材の第１の部分は、前記第２のガイド部材の第１の部分と結合しており、前記第１のガイド部材の第２の部分は、前記第３のガイド部材の第１の部材と結合していることを特徴とする、請求項１ないし４のいずれか１項に記載のコネクタセット。
【発明の詳細な説明】
【技術分野】
【０００１】
この発明は、第１のコネクタと第２のコネクタとを備えたコネクタセットに関するものである。
【背景技術】
【０００２】
第１のコネクタと第２のコネクタとを備えたコネクタセットの一例として、国際公開第２０１３／１５５２６３号（特許文献１）に記載のコネクタセットが挙げられる。図１２は、特許文献１に記載のコネクタセット２００の外観斜視図である。
【０００３】
コネクタセット２００は、第１のコネクタであるレセプタクル２０２および第２のコネクタであるプラグ２０３を備えている。レセプタクル２０２は、基板２０１上に設けられており、レセプタクル本体２０２ａ中に不図示の光素子を内蔵している。プラグ２０３は、不図示の光ファイバの先端に設けられており、プラグ本体２０３ａと光ファイバが接続されている。
【０００４】
レセプタクル２０２とプラグ２０３とは、レセプタクル２０２側の光素子とプラグ２０３側の光ファイバとが光学的に結合されるように位置決めされる。両者が光学的に結合するための位置決めは、レセプタクル本体２０２ａの上面に設けられた凹部２０２ｂないし２０２ｅと、プラグ本体２０３ａの下面に設けられた凸部２０３ｂないし２０３ｅとの篏合により行われる。
【先行技術文献】
【特許文献】
【０００５】
【特許文献１】国際公開第２０１３／１５５２６３号
【発明の概要】
【発明が解決しようとする課題】
【０００６】
特許文献１に記載のコネクタセット２００では、レセプタクル２０２の上にプラグ２０３が重なった状態における上面視において、レセプタクル２０２側の各凹部およびプラグ２０３側の各凸部の位置を直視することができない。そのため、レセプタクル２０２側の各凹部にプラグ２０３側の各凸部を正確に篏合させることが困難である。また、試行錯誤によりレセプタクル２０２側の各凹部にプラグ２０３側の各凸部を篏合させようとすると、その作業中に凹部および凸部の少なくとも一方が破損したり、凸部がレセプタクル２０２を損傷させたりする虞がある。
【０００７】
すなわち、この発明の目的は、第１のコネクタと第２のコネクタとが容易に、かつ正確に位置決めされるコネクタセットを提供することである。
【課題を解決するための手段】
【０００８】
この発明に係るコネクタセットでは、基板上に設けられている第１のコネクタに対する第２のコネクタの位置決めを容易に、かつ正確にするために、第１のコネクタの構造についての改良が図られる。
【０００９】
この発明に係るコネクタセットは、第１のコネクタ本体を含む第１のコネクタと、第２のコネクタ本体を含む第２のコネクタとを備えている。第１のコネクタ本体は、第１の面と、第１の面に接続された第２の面と、第１の面および第２の面に接続された第３の面と、第１の面および第２の面に接続され、かつ第３の面と対向する第４の面とを有する。第１の面には、少なくとも１つの凹部が形成されている。第２のコネクタ本体は、第１のコネクタと接続されたときに、上記の少なくとも１つの凹部と篏合する少なくとも１つの凸部を有する。
【００１０】
そして、第１のコネクタは、第１のガイド部材と、第２のガイド部材と、第３のガイド部材とを含むガイド部材を備えている。第１のガイド部材は、一方端部が第１の面側にあり、かつ凹部と接しないように第２の面に接続されている。第２のガイド部材は、一方端部が第１の面側にあり、かつ凹部と接しないように第３の面に接続されている。第３のガイド部材は、一方端部が第１の面側にあり、かつ凹部と接しないように第４の面に接続されている。
【００１１】
また、第１のガイド部材は、一方端部の第２の面側に第１の傾斜領域を有し、第１の傾斜領域と第１の面との間に第１の面と直交する第１の直交領域を有する。第２のガイド部材は、一方端部の第３の面側に第２の傾斜領域を有し、第２の傾斜領域と第１の面との間に第１の面と直交する第２の直交領域を有する。第３のガイド部材は、一方端部の第４の面側に第３の傾斜領域を有し、第３の傾斜領域と第１の面との間に第１の面と直交する第３の直交領域を有する。
【００１２】
第１の傾斜領域、第２の傾斜領域および第３の傾斜領域は、第１の面から離れる向きに傾斜している。また、第１の直交領域、第２の直交領域および第３の直交領域の長さは、凸部の高さ以上である。
【００１３】
上記のコネクタセットでは、位置ずれのある状態で第２のコネクタ本体が第１のコネクタ本体に近付くと、第２のコネクタ本体は、上記の各ガイド部材が有する各傾斜領域の、１つまたは２つに当接する。傾斜領域に当接した第２のコネクタ本体は、さらに第１のコネクタ本体に近付くにつれて、傾斜領域に沿って移動する。そして、第２のコネクタ本体が当接した傾斜領域を通過し、直交領域に到達した時点で、第１のコネクタ本体の第１の面に形成されている凹部の上に、第２のコネクタ本体に備えられた凸部が位置するようになる。
【００１４】
すなわち、上記のコネクタセットでは、第１のコネクタと第２のコネクタとが容易に、かつ正確に位置決めされる。したがって、第１のコネクタと第２のコネクタとの接続作業中に、凹部および凸部の少なくとも一方の破損、および凸部による第１のコネクタが備えている光路の損傷が抑制される。
【００１５】
この発明に係るコネクタセットは、以下の特徴を備えるようにしてもよい。すなわち、第１のガイド部材、第２のガイド部材および第３のガイド部材は、板状部材である。そして、第１の傾斜領域、第２の傾斜領域および第３の傾斜領域は、板状部材の一方端部に、第１の面から離れる向きに先細となるように形成されたテーパ領域である。
【００１６】
この発明に係るコネクタセットは、以下の特徴を備えるようにしてもよい。すなわち、第１のガイド部材、前記第２のガイド部材および前記第３のガイド部材は、板状部材である。そして、第１の傾斜領域、第２の傾斜領域および第３の傾斜領域は、板状部材の一方端部が、第１の面から離れる向きに傾斜するように屈曲された屈曲領域である。
【００１７】
この発明に係るコネクタセットは、以下の特徴を備えるようにしてもよい。すなわち、第１のガイド部材、第２のガイド部材および第３のガイド部材は、柱状部材である。そして、第１の傾斜領域、第２の傾斜領域および第３の傾斜領域は、柱状部材の一方端部に、第１の面から離れる向きに先細となるように形成されたテーパ領域である。
【００１８】
この発明に係るコネクタセットは、以下の特徴を備えるようにしてもよい。すなわち、第１のガイド部材は、分離した第１の部分および第２の部分を含む。そして、第１の部分は、第２のガイド部材と結合しており、第２の部分は、第３のガイド部材と結合している。
【００１９】
この発明に係るコネクタセットは、以下の特徴を備えるようにしてもよい。すなわち、第２のガイド部材および第３のガイド部材は、それぞれ分離した第１の部分および第２の部分を含む。
【００２０】
この発明に係るコネクタセットは、以下の特徴を備えるようにしてもよい。すなわち、第１のガイド部材、第２のガイド部材および第３のガイド部材は、それぞれ分離した第１の部分および第２の部分を含む。そして、第１のガイド部材の第１の部分は、第２のガイド部材の第１の部分と結合しており、第１のガイド部材の第２の部分は、第３のガイド部材の第１の部材と結合している。
【００２１】
上記のコネクタセットにおいても、第１のコネクタと第２のコネクタとが容易に、かつ正確に位置決めされる。したがって、第１のコネクタと第２のコネクタとの接続作業中に、凹部および凸部の少なくとも一方の破損、および凸部による第１のコネクタが備えている光路の損傷が抑制される。
【発明の効果】
【００２２】
この発明に係るコネクタセットでは、第１のコネクタと第２のコネクタとが容易に、かつ正確に位置決めされる。
【図面の簡単な説明】
【００２３】
【図１】この発明に係るコネクタセットの実施形態であるコネクタセット１００の分解斜視図である。
【図２】コネクタセット１００が備えている第１のコネクタ２の上面図および側面図である。
【図３】第１のコネクタ２と第２のコネクタ３とが接続される工程を順番に示す側面図である。
【図４】第１のコネクタ２の第１の変形例の上面図および側面図である。
【図５】第１のコネクタ２の第２の変形例の上面図および側面図である。
【図６】第１のコネクタ２の第３の変形例の上面図および側面図である。
【図７】第１のコネクタ２の第４の変形例の上面図および側面図である。
【図８】第１のコネクタ２の第５の変形例の上面図および側面図である。
【図９】第１のコネクタ２の第６の変形例の上面図および側面図である。
【図１０】第１のコネクタ２の第７の変形例の上面図および側面図である。
【図１１】第１のコネクタ２の第８の変形例の上面図および側面図である。
【図１２】背景技術のコネクタセット２００の斜視図である。
【発明を実施するための形態】
【００２４】
以下にこの発明の実施形態を示して、この発明の特徴とするところをさらに詳しく説明する。この発明は、例えば光素子を内蔵しているレセプタクルと光ファイバに接続されるプラグとを含み、光ファイバと光素子を光学的に結合させるためのコネクタセットに適用される。この場合、レセプタクルが第１のコネクタに相当し、プラグが第２のコネクタに相当する。ただし、この発明は、それ以外のコネクタセットにも適用可能である。
【００２５】
−コネクタセットの実施形態−
この発明に係るコネクタセットの実施形態であるコネクタセット１００の構造について、図１ないし図３を用いて説明する。
【００２６】
なお、各図面は模式図であり、実際の製品の寸法は必ずしも反映されていない。また、製造工程上で発生する各構成要素の形状のばらつきなども、各図面に必ずしも反映されていない。すなわち、以後、この明細書中で説明のために用いられる図面は、たとえ実際の製品と異なる部分があったとしても、本質的な面で実際の製品を表すものと言うことができる。
【００２７】
図１は、コネクタセット１００の分解斜視図である。すなわち、図１は、コネクタセット１００の各構成要素の形状を理解しやすくするため、コネクタセット１００の組み立て前の各要素を示している。図２は、コネクタセット１００が備えている第１のコネクタ２の上面図と、後述する第１のコネクタ本体２ａの第２の面２Ｓ2側から見たおよび側面図と、第３の面２Ｓ3側から見たおよび側面図である。
【００２８】
コネクタセット１００は、第１のコネクタ本体２ａを含む第１のコネクタ２と、第２のコネクタ本体３ａを含む第２のコネクタ３とを備えている。第１のコネクタ２は、不図示の光素子を内蔵しており、基板１に接続されている。第２のコネクタ３には、光ファイバＯＦが接続されている。すなわち、コネクタセット１００は、光コネクタセットであり、第１のコネクタ２は、レセプタクルであり、第２のコネクタ３は、プラグである。
【００２９】
第１のコネクタ本体２ａは、第１の面２Ｓ1と、第１の面２Ｓ1に接続された第２の面２Ｓ2と、第１の面２Ｓ1および第２の面２Ｓ2に接続された第３の面２Ｓ3と、第１の面２Ｓ1および第２の面２Ｓ2に接続され、かつ第３の面２Ｓ3と対向する第４の面２Ｓ4とを有する。
【００３０】
第１の面２Ｓ1には、凹部２ｂないし２ｅが形成されている。凹部２ｂは、第２の面２Ｓ2に露出するように形成されている。凹部２ｃ、２ｄおよび２ｅは、凹部２ｂと同様に、それぞれ第３の面２Ｓ3、第４の面２Ｓ4および第５の面２Ｓ5に露出するように形成されている。コネクタセット１００では、凹部２ｂないし２ｅは直方体形状に形成されている。ただし、凹部２ｂないし２ｅの形状はこれに限られない。
【００３１】
第２のコネクタ本体３ａは、第２のコネクタ３が第１のコネクタ２と接続されたときに、第１の面３Ｓ1に凹部２ｂないし２ｅと対応して篏合する凸部３ｂないし３ｅを有する。すなわち、凸部３ｂは、凹部２ｂと篏合し、凸部３ｃ、３ｄおよび３ｅは、凸部３ｂと同様に、それぞれ凹部２ｃ、２ｄおよび２ｅと篏合する。コネクタセット１００では、凸部３ｂないし３ｅは直方体形状で、凹部２ｂないし２ｅに対応した形状に形成されている。ただし、凸部３ｂないし３ｅの形状はこれに限られない。
【００３２】
そして、第１のコネクタ２は、第１のガイド部材２ｇ1と、第２のガイド部材２ｇ2と、第３のガイド部材２ｇ3とを含むガイド部材２ｇを備えている。
【００３３】
第１のガイド部材２ｇ1は、分離した第１の部分２ｇａ1および第２の部分２ｇｂ1を含む。第１の部分２ｇａ1は、板状部材であって、一方端部が第１の面２Ｓ1側にあり、かつ凹部２ｂと接しないように第２の面２Ｓ2に接続されている。また、第１の部分２ｇａ1は、第１の傾斜領域である第１の部分側の第１のテーパ領域２ｇａｔ1と、第１の部分側の第１の直交領域２ｇａｓ1とを有する。
【００３４】
第１の部分側の第１のテーパ領域２ｇａｔ1は、一方端部の第２の面２Ｓ2側に形成されている。第１の部分側の第１の直交領域２ｇａｓ1は、第１の部分側の第１のテーパ領域２ｇａｔ1と第１の面２Ｓ1との間にあり、第１の面２Ｓ1と直交している。
【００３５】
第２の部分２ｇｂ1は、第１の部分２ｇａ1と同様の構造を有し、第１の傾斜領域である不図示の第２の部分側の第１のテーパ領域と、不図示の第２の部分側の第１の直交領域とを有する。
【００３６】
第２のガイド部材２ｇ2は、板状部材であって、一方端部が第１の面２Ｓ1側にあり、かつ凹部２ｃと接しないように第３の面２Ｓ3に接続されている。また、第２のガイド部材２ｇ2は、一方端部の第３の面２Ｓ3側に第２のテーパ領域２ｇｔ2と、第２の直交領域２ｇｓ2とを有する。第２のテーパ領域２ｇｔ2は、一方端部の第３の面２Ｓ3側に形成されている。第２の直交領域２ｇｓ2は、第２のテーパ領域２ｇｔ2と第１の面２Ｓ1との間にあり、第１の面２Ｓ1と直交している。
【００３７】
第３のガイド部材２ｇ3は、板状部材であって、一方端部が第１の面２Ｓ1側にあり、かつ凹部２ｄと接しないように第４の面２Ｓ4に接続されている。また、第３のガイド部材２ｇ3は、一方端部の第４の面２Ｓ4側に第３のテーパ領域２ｇｔ3と、第３の直交領域２ｇｓ3とを有する。第３のテーパ領域２ｇｔ3は、一方端部の第４の面２Ｓ4側に形成されている。第３の直交領域２ｇｓ3は、第３のテーパ領域２ｇｔ3と第１の面２Ｓ1との間にあり、第１の面２Ｓ1と直交している。
【００３８】
第１のガイド部材２ｇ1の第１の部分２ｇａ1は、第２のガイド部材２ｇ2と結合しており、結合された第１の部分２ｇａ1と第２のガイド部材２ｇ2とは、上面視で逆Ｌ字型となっている。また、第２の部分２ｇｂ2は、第３のガイド部材２ｇ3と結合しており、結合された第２の部分２ｇｂ1と第３のガイド部材２ｇ3とは、上面視でＬ字型となっている。なお、第１のガイド部材２ｇ1、第２のガイド部材２ｇ2および第３のガイド部材２ｇ3は、それぞれの高さが等しくなっている。
【００３９】
そして、第１のテーパ領域２ｇａｔ1および２ｇｂｔ1、第２のテーパ領域２ｇｔ2ならびに第３のテーパ領域２ｇｔ3には、第１の面２Ｓ1から離れる向きに先細となるようにテーパが付けられている。また、第１の直交領域２ｇａｓ1および２ｇｂｓ1、第２の直交領域２ｇｓ2ならびに第３の直交領域２ｇｓ3の長さは、それぞれ等しく、凸部３ｂないし３ｅの高さ以上である。
【００４０】
コネクタセット１００において、第１のコネクタ２と、第２のコネクタ３とが位置ずれのある状態から接続される場合を考える。例えば、第１のコネクタ本体２ａの第１の面２Ｓ1に形成された凹部２ｂと、第２のコネクタ本体３ａの第１の面３Ｓ1に形成された凸部３ｂとの間で位置ずれがあるとする。
【００４１】
図３（Ａ）に示すように、凸部３ｂの位置は、凹部２ｂの位置より図面の左側にずれている。図３（Ｂ）に示すように、この状態で第２のコネクタ本体３ａが下降して、第１のコネクタ本体２ａに近付くと、第２のコネクタ本体３ａは、第１のテーパ領域２ｇａｔ1および２ｇｂｔ1に当接する。図３（Ｃ）に示すように、第１のテーパ領域２ｇａｔ1および２ｇｂｔ1に当接した第２のコネクタ本体３ａは、さらに第１のコネクタ本体２ａに近付くにつれて、当接したテーパ領域に沿って移動する。
【００４２】
前述したように、第１の直交領域２ｇａｓ1および２ｇｂｓ1の長さｈ1は、凸部３ｂの高さｈ2以上である。すなわち、第２のコネクタ本体３ａが当接したテーパ領域を通過するまで、凸部３ｂが第１の面２Ｓ1と接触することがない。そして、図３（Ｄ）に示すように、第２のコネクタ本体３ａが当接したテーパ領域を通過し、直交領域に到達した時点で、第１のコネクタ本体２ａの凹部２ｂの上に、第２のコネクタ本体３ａの凸部３ｂが位置するようになる。
【００４３】
上記では、凹部２ｂと凸部３ｂとの間の位置ずれについて説明されたが、凹部２ｃと凸部３ｃとの間の位置ずれ、凹部２ｄと凸部３ｄとの間の位置ずれについても、同様の作用により解消される。
【００４４】
すなわち、コネクタセット１００では、第１のコネクタ２と第２のコネクタ３とが容易に、かつ正確に位置決めされる。したがって、第１のコネクタ２と第２のコネクタ３との接続作業中に、凹部２ｂないし２ｅおよび凸部３ｂないし３ｅの少なくとも一方の破損、および凸部３ｂないし３ｅによる第１のコネクタ２が備えている光路の損傷が抑制される。
【００４５】
−コネクタセットの実施形態の第１の変形例−
コネクタセット１００の第１のコネクタ２の第１の変形例について、図４を用いて説明する。図４は、第１のコネクタ２の第１の変形例の、図２に相当する上面図および側面図である。
【００４６】
第１の変形例における第１のコネクタ２では、第１のガイド部材２ｇ1が第１の部分と第２の部分とに分離していない。そして、第１のガイド部材２ｇ1は、第２のガイド部材２ｇ2とは結合しておらず、また第１のガイド部材２ｇ1は、 第３のガイド部材２ｇ3とも結合していない。それ以外の構成要素については、前述の第１のコネクタ２と同様であるため、ここではそれらについてのさらなる説明を省略する。
【００４７】
上記の第１のコネクタ２の第１の変形例を備えたコネクタセット１００においても、第１のコネクタ２と第２のコネクタ３とが容易に、かつ正確に位置決めされ、前述の効果が得られる。
【００４８】
−コネクタセットの実施形態の第２の変形例−
コネクタセット１００の第１のコネクタ２の第２の変形例について、図５を用いて説明する。図５は、第１のコネクタ２の第２の変形例の、図２に相当する上面図および側面図である。
【００４９】
第２の変形例における第１のコネクタ２では、第１のガイド部材２ｇ1が第１の部分２ｇａ1と第２の部分２ｇｂ1とに分離している。ただし、第１の部分２ｇａ1は、第２のガイド部材２ｇ2とは結合しておらず、また第２の部分２ｇｂ1は、第３のガイド部材２ｇ3と結合していない。それ以外の構成要素については、前述の第１のコネクタ２と同様であるため、ここではそれらについてのさらなる説明を省略する。
【００５０】
−コネクタセットの実施形態の第３の変形例−
コネクタセット１００の第１のコネクタ２の第３の変形例について、図６を用いて説明する。図６は、第１のコネクタ２の第３の変形例の、図２に相当する上面図および側面図である。
【００５１】
第３の変形例における第１のコネクタ２では、第１のガイド部材２ｇ1が第１の部分２ｇａ1と第２の部分２ｇｂ1とに分離している。さらに、第２のガイド部材２ｇ2が第１の部分２ｇａ2と第２の部分２ｇｂ2とに、第３のガイド部材２ｇ3が第１の部分２ｇａ3と第２の部分２ｇｂ3とに分離している。
【００５２】
ただし、第１のガイド部材２ｇ1の第１の部分２ｇａ1は、第２のガイド部材２ｇ2の第１の部分２ｇａ2と結合していない。また、第１のガイド部材２ｇ1の第２の部分２ｇｂ1は、第３のガイド部材２ｇ3の第１の部分２ｇａ3と結合していない。それ以外の構成要素については、前述の第１のコネクタ２と同様であるため、ここではそれらについてのさらなる説明を省略する。
【００５３】
−コネクタセットの実施形態の第４の変形例−
コネクタセット１００の第１のコネクタ２の第４の変形例について、図７を用いて説明する。図７は、第１のコネクタ２の第４の変形例の、図２に相当する上面図および側面図である。
【００５４】
第４の変形例における第１のコネクタ２では、第３の変形例と同様に、第１のガイド部材２ｇ1が第１の部分２ｇａ1と第２の部分２ｇｂ1とに分離している。さらに、第２のガイド部材２ｇ2が第１の部分２ｇａ2と第２の部分２ｇｂ2とに、第３のガイド部材２ｇ3が第１の部分２ｇａ3と第２の部分２ｇｂ3とに分離している。
【００５５】
一方、第３の変形例と異なり、第１のガイド部材２ｇ1の第１の部分２ｇａ1は、第２のガイド部材２ｇ2の第１の部分２ｇａ2と結合している。結合された第１のガイド部材２ｇ1の第１の部分２ｇａ1と第２のガイド部材２ｇ2の第１の部分２ｇａ2とは、上面視で逆Ｌ字型となっている。
【００５６】
また、第１のガイド部材２ｇ1の第２の部分２ｇｂ1は、第３のガイド部材２ｇ3の第１の部分２ｇａ3と結合している。結合された第１のガイド部材２ｇ1の第２の部分２ｇｂ1と第３のガイド部材２ｇ3の第１の部分２ｇａ3とは、上面視でＬ字型となっている。それ以外の構成要素については、前述の第１のコネクタ２と同様であるため、ここではそれらについてのさらなる説明を省略する。
【００５７】
−コネクタセットの実施形態の第５の変形例−
コネクタセット１００の第１のコネクタ２の第５の変形例について、図８を用いて説明する。図８は、第１のコネクタ２の第５の変形例の、図２に相当する上面図および側面図である。
【００５８】
第５の変形例における第１のコネクタ２が備えている第１のガイド部材２ｇ1、第２のガイド部材２ｇ2および第３のガイド部材２ｇ3は、最初に説明したコネクタセット１００の第１のコネクタ２が備えているものと同様である。一方、第５の変形例では、第１のコネクタ本体２ａの第１の面２Ｓ1には、凹部２ｂだけが形成されている。凹部２ｂの形成位置および形状は、前述のものと同様である。
【００５９】
なお、この場合、図示してはいないが、第２のコネクタ本体３ａには、凸部３ｂだけが形成されていることは言うまでもない。第５の変形例では、凹部が１つだけ形成されている場合について説明したが、凹部の数はこれに限られない。また、それ以外の構成要素については、前述の第１のコネクタ２と同様であるため、ここではそれらについてのさらなる説明を省略する。
【００６０】
−コネクタセットの実施形態の第６の変形例−
コネクタセット１００の第１のコネクタ２の第６の変形例について、図９を用いて説明する。図９は、第１のコネクタ２の第６の変形例の、図２に相当する上面図および側面図である。
【００６１】
第６の変形例における第１のコネクタ２が備えている第１のガイド部材２ｇ1、第２のガイド部材２ｇ2および第３のガイド部材２ｇ3は、最初に説明したコネクタセット１００の第１のコネクタ２が備えているものと同様である。
【００６２】
一方、第６の変形例では、凹部２ｂは、第１のコネクタ本体２ａの第１の面２Ｓ1に、第２の面２Ｓ2に露出しないように形成されている。凹部２ｃ、２ｄおよび２ｅも、凹部２ｂと同様に、それぞれ第３の面２Ｓ3、第４の面２Ｓ4および第５の面２Ｓ5に露出しないように形成されている。それ以外の構成要素については、前述の第１のコネクタ２と同様であるため、ここではそれらについてのさらなる説明を省略する。
【００６３】
以上で説明した第１のコネクタ２の第１ないし第６の変形例を備えたコネクタセット１００においても、第１のコネクタ２と第２のコネクタ３とが容易に、かつ正確に位置決めされ、前述の効果が得られる。
【００６４】
−コネクタセットの実施形態の第７の変形例−
コネクタセット１００の第１のコネクタ２の第７の変形例について、図１０を用いて説明する。図１０は、第１のコネクタ２の第７の変形例の、図２に相当する上面図および側面図である。
【００６５】
第７の変形例における第１のコネクタ２では、第１のガイド部材２ｇ1、第２のガイド部材２ｇ2および第３のガイド部材２ｇ3は、前述の各実施例よりも厚みの薄い板状部材である。各ガイド部材は、前述の各実施例と同様にして、第１のコネクタ本体２ａの各面に接続されている。なお、第２の変形例と同様に、第１のガイド部材２ｇ1は、第１の部分２ｇａ1と第２の部分２ｇｂ1とに分離している。ただし、第１の部分２ｇａ1は、第２のガイド部材２ｇ2とは結合しておらず、また第２の部分２ｇｂ1は、第３のガイド部材２ｇ3と結合していない。
【００６６】
そして、第７の変形例においては、板状部材である第１のガイド部材２ｇ1の一方端部が、第１の面２Ｓ1から離れる向きに傾斜するように屈曲されてなる第１の屈曲領域が、第１の傾斜領域に相当する。なお、第１のガイド部材２ｇ1は、上記のように第１の部分２ｇａ1と第２の部分２ｇｂ1とに分離しているため、第１の屈曲領域は、第１の部分側の第１の屈曲領域２ｇａｆ1と、不図示の第２の部分側の第１の屈曲領域とを有する。
【００６７】
同様に、板状部材である第２のガイド部材２ｇ2の一方端部が、第１の面２Ｓ1から離れる向きに傾斜するように屈曲されてなる第２の屈曲領域２ｇｆ2が、第２の傾斜領域に相当する。また、板状部材である第３のガイド部材２ｇ3の一方端部が、第１の面２Ｓ1から離れる向きに傾斜するように屈曲されてなる第３の屈曲領域２ｇｆ3が、第３の傾斜領域に相当する。それ以外の構成要素については、前述の第１のコネクタ２と同様であるため、ここではそれらについてのさらなる説明を省略する。
【００６８】
第１のコネクタ２の第７の変形例を備えたコネクタセット１００においても、第１のコネクタ２と第２のコネクタ３とが容易に、かつ正確に位置決めされ、前述の効果が得られる。また、第２のコネクタ本体３ａが前述の各屈曲領域のいずれかに当接したとき、その屈曲領域を有するガイド部材が弾性変形するため、当接の際の衝撃が緩和される。
【００６９】
−コネクタセットの実施形態の第８の変形例−
コネクタセット１００の第１のコネクタ２の第８の変形例について、図１１を用いて説明する。図１１は、第１のコネクタ２の第８の変形例の、図２に相当する上面図および側面図である。
【００７０】
第８の変形例における第１のコネクタ２では、第１のガイド部材２ｇ1、第２のガイド部材２ｇ2および第３のガイド部材２ｇ3は、柱状部材である。各ガイド部材は、前述の各実施例と同様にして、第１のコネクタ本体２ａの各面に接続されている。なお、第３の変形例と同様に、第１のガイド部材２ｇ1は、第１の部分２ｇａ1と第２の部分２ｇｂ1とに分離している。さらに、第２のガイド部材２ｇ2が第１の部分２ｇａ2と第２の部分２ｇｂ2とに、第３のガイド部材２ｇ3が第１の部分２ｇａ3と第２の部分２ｇｂ3とに分離している。
【００７１】
ただし、第１のガイド部材２ｇ1の第１の部分２ｇａ1は、第２のガイド部材２ｇ2の第１の部分２ｇａ2と結合していない。また、第１のガイド部材２ｇ1の第２の部分２ｇｂ1は、第３のガイド部材２ｇ3の第１の部分２ｇａ3と結合していない。
【００７２】
そして、第８の変形例においては、柱状部材である第１のガイド部材２ｇ1の一方端部に、第１の面２Ｓ1から離れる向きに先細となるようにテーパが付けられてなる第１のテーパ領域が、第１の傾斜領域に相当する。なお、第１のガイド部材２ｇ1は、上記のように第１の部分２ｇａ1と第２の部分２ｇｂ1とに分離しているため、第１のテーパ領域は、第１の部分側の第１のテーパ領域２ｇａｔ1と、不図示の第２の部分側の第１のテーパ領域とを有する。
【００７３】
同様に、柱状部材である第２のガイド部材２ｇ2の一方端部に、第１の面２Ｓ1から離れる向きに先細となるようにテーパが付けられてなる第２のテーパ領域が、第２の傾斜領域に相当する。第２のガイド部材２ｇ2も第１の部分２ｇａ2と第２の部分２ｇｂ2とに分離しているため、第２のテーパ領域は、第１の部分側の第２のテーパ領域２ｇａｔ2と、不図示の第２の部分側の第２のテーパ領域とを有する。
【００７４】
また、柱状部材である第３のガイド部材２ｇ3の一方端部に、第１の面２Ｓ1から離れる向きに先細となるようにテーパが付けられてなる第３のテーパ領域が、第３の傾斜領域に相当する。第３のガイド部材２ｇ3も第１の部分２ｇａ3と第２の部分２ｇｂ3とに分離しているため、第３のテーパ領域は、第１の部分側の第３のテーパ領域２ｇａｔ3と、不図示の第２の部分側の第３のテーパ領域とを有する。それ以外の構成要素については、前述の第１のコネクタ２と同様であるため、ここではそれらについてのさらなる説明を省略する。
【００７５】
第１のコネクタ２の第８の変形例を備えたコネクタセット１００においても、第１のコネクタ２と第２のコネクタ３とが容易に、かつ正確に位置決めされ、前述の効果が得られる。
【００７６】
なお、この明細書に記載の実施形態は、例示的なものであって、この発明は上記の実施形態に限定されるものではなく、この発明の範囲内において、種々の応用、変形を加えることができる。
【符号の説明】
【００７７】
１００    コネクタセット
１    基板
２    レセプタクル（第１のコネクタ）
２ａ    レセプタクル本体（第１のコネクタ本体）
２ｂ〜２ｅ    凹部
２ｇ    ガイド部材
２ｇ1    第１のガイド部材
２ｇａ1    第１の部分
２ｇａｔ1    第１の部分側の第１のテーパ領域（第１の傾斜領域）
２ｇａｓ1    第１の部分側の第１の直交領域
２ｇｂ1    第２の部分
２ｇｂｔ1    第２の部分側の第１のテーパ領域（第１の傾斜領域）
２ｇｂｓ1    第２の部分側の第１の直交領域
２ｇ2    第２のガイド部材
２ｇｔ2    第２のテーパ領域（第２の傾斜領域）
２ｇｓ2    第２の直交領域
２ｇ3    第３のガイド部材
２ｇｔ3    第３のテーパ領域（第３の傾斜領域）
２ｇｓ3    第３の直交領域
２Ｓ1    第１の面
２Ｓ2    第２の面
２Ｓ3    第３の面
２Ｓ4    第４の面
３    プラグ（第２のコネクタ）
３ａ    プラグ本体（第２のコネクタ本体）
３ｂ〜３ｅ    凸部
ＯＦ    光ファイバ
【図１】
2019008264.tif 000003
【図２】
2019008264.tif 000004
【図３】
2019008264.tif 000005
【図４】
2019008264.tif 000006
【図５】
2019008264.tif 000007
【図６】
2019008264.tif 000008
【図７】
2019008264.tif 000009
【図８】
2019008264.tif 000010
【図９】
2019008264.tif 000011
【図１０】
2019008264.tif 000012
【図１１】
2019008264.tif 000013
【図１２】
2019008264.tif 000014